(57)【特許請求の範囲】
【請求項１】
遊技機の遊技盤に直接又は他部材を介して間接的に固定され、前記遊技盤の盤面と直交する前後方向において少なくとも前記遊技盤の前方側に、前記遊技盤の盤面に沿って流下する遊技球を下方側に進入させつつ取り込む誘導口が形成されてなる筐体と、
前記前後方向に沿ってスライドするように前記筐体に直接又は他部材を介して間接的に支持され、少なくとも自身の一部を前記遊技盤の盤面の前方側に配置して前記誘導口を閉鎖する閉鎖位置と、その閉鎖位置のときよりも後方側に退避して前記誘導口を開放する開放位置との間でスライド動作するように配置された開閉部材と、
駆動力を生じさせる駆動源と、
前記駆動源の駆動力を受けて所定のスライド方向にスライド動作するスライド部材と、を備え、
前記スライド部材及び前記開閉部材のいずれか一方の部材には、前記スライド部材のスライド方向に対して傾斜した方向に沿った誘導溝が形成され、他方の部材又は他方の部材と連動する部材には、前記誘導溝内に挿入される挿入部が形成されており、
前記駆動源の駆動力を受けて前記スライド部材が前記所定のスライド方向にスライド動作したときに、前記挿入部が前記誘導溝内を相対的に移動するように案内され、その案内時における前記誘導溝の溝壁に対する前記挿入部の押圧作用に応じて、前記開閉部材が前後方向にスライド動作する構成であり、
前記開閉部材は、板状に構成された板状部を備え、その板状部の厚み方向の一方の板面部を上面として構成するとともに、前記挿入部を他方の板面部から突出した形態で形成しており、
前記スライド部材は、前記板状部の他方の板面部と対向配置され、前記誘導溝を有する対向部を備えるとともに、前記所定のスライド方向が前後方向と交差する方向に沿うように配置されて前記駆動源の駆動力を受けてスライド動作し、そのスライド動作に伴って前記誘導溝がそのスライド方向に変位するようになっており、
前記誘導溝のスライド変位に伴い当該誘導溝の溝壁により前記挿入部が前方又は後方に相対移動するように押圧作用を受けることにより前記開閉部材がスライド動作することを特徴とすることを特徴とする遊技機用可変入賞装置。
【請求項２】
遊技機の遊技盤に直接又は他部材を介して間接的に固定され、前記遊技盤の盤面と直交する前後方向において少なくとも前記遊技盤の前方側に、前記遊技盤の盤面に沿って流下する遊技球を下方側に進入させつつ取り込む誘導口が形成されてなる筐体と、
前記前後方向に沿ってスライドするように前記筐体に直接又は他部材を介して間接的に支持され、少なくとも自身の一部を前記遊技盤の盤面の前方側に配置して前記誘導口を閉鎖する閉鎖位置と、その閉鎖位置のときよりも後方側に退避して前記誘導口を開放する開放位置との間でスライド動作するように配置された開閉部材と、
駆動力を生じさせる駆動源と、
前記駆動源の駆動力を受けて所定のスライド方向にスライド動作するスライド部材と、を備え、
前記スライド部材及び前記開閉部材のいずれか一方の部材には、前記スライド部材のスライド方向に対して傾斜した方向に沿った誘導溝が形成され、他方の部材又は他方の部材と連動する部材には、前記誘導溝内に挿入される挿入部が形成されており、
前記駆動源の駆動力を受けて前記スライド部材が前記所定のスライド方向にスライド動作したときに、前記挿入部が前記誘導溝内を相対的に移動するように案内され、その案内時における前記誘導溝の溝壁に対する前記挿入部の押圧作用に応じて、前記開閉部材が前後方向にスライド動作する構成であり、
前記開閉部材に連結される部材として構成されると共に当該開閉部材と共に前後動するように構成され且つ自身の一部に前記挿入部を有する挿入部形成部材が設けられ、
前記スライド部材は、前記挿入部形成部材と対向配置され、前記誘導溝を有する対向部を備えるとともに、前記所定のスライド方向が前後方向と交差する方向に沿うように配置されて前記駆動源の駆動力を受けてスライド動作し、そのスライド動作に伴って前記誘導溝がそのスライド方向に変位するようになっており、
前記誘導溝のスライド変位に伴い当該誘導溝の溝壁により前記挿入部が前方又は後方に相対移動するように押圧作用を受けることにより当該挿入部形成部材と連動して前記開閉部材がスライド動作することを特徴とする遊技機用可変入賞装置。
【請求項３】
遊技機の遊技盤に直接又は他部材を介して間接的に固定され、前記遊技盤の盤面と直交する前後方向において少なくとも前記遊技盤の前方側に、前記遊技盤の盤面に沿って流下する遊技球を下方側に進入させつつ取り込む誘導口が形成されてなる筐体と、
前記前後方向に沿ってスライドするように前記筐体に直接又は他部材を介して間接的に支持され、少なくとも自身の一部を前記遊技盤の盤面の前方側に配置して前記誘導口を閉鎖する閉鎖位置と、その閉鎖位置のときよりも後方側に退避して前記誘導口を開放する開放位置との間でスライド動作するように配置された開閉部材と、
駆動力を生じさせる駆動源と、
前記駆動源の駆動力を受けて所定のスライド方向にスライド動作するスライド部材と、を備え、
前記スライド部材及び前記開閉部材のいずれか一方の部材には、前記スライド部材のスライド方向に対して傾斜した方向に沿った誘導溝が形成され、他方の部材又は他方の部材と連動する部材には、前記誘導溝内に挿入される挿入部が形成されており、
前記駆動源の駆動力を受けて前記スライド部材が前記所定のスライド方向にスライド動作したときに、前記挿入部が前記誘導溝内を相対的に移動するように案内され、その案内時における前記誘導溝の溝壁に対する前記挿入部の押圧作用に応じて、前記開閉部材が前後方向にスライド動作する構成であり、
前記開閉部材及び前記スライド部材の一方には、前記誘導溝と連続するように前記スライド方向に延びるロック溝が形成され、
前記スライド部材は、前後方向への移動が規制されており、
前記駆動源が非駆動状態とされたときには、前記スライド部材は、前記挿入部が前記ロック溝内に嵌り込むロック位置となり、
前記駆動源が前記非駆動状態から駆動状態に変化して前記スライド部材が前記ロック位置からスライドする際には、前記挿入部が前記ロック溝から前記誘導溝側に移り当該誘導溝内で相対移動するように案内され、この相対移動と連動して前記開閉部材が前記閉鎖位置から前記開放位置に移動するようになっており、
前記挿入部が前記ロック溝内に嵌り込んだ状態で前記開閉部材を前記開放位置に変位させようとする外力が加えられた場合には、その外力に応じて後方側に移動しようとする前記挿入部が前記ロック溝の内壁に押し当てられ、当該ロック溝の内壁が前記挿入部を相対移動させないように受けることによりロックされることを特徴とする遊技機用可変入賞装置。
【請求項４】
前記スライド部材に形成される誘導溝と連続するように前記スライド方向に延びるロック溝が形成され、
前記スライド部材は、前後方向への移動が規制されており、
前記駆動源が非駆動状態とされたときには、前記スライド部材は、前記挿入部が前記ロック溝内に嵌り込むロック位置となり、
前記駆動源が前記非駆動状態から駆動状態に変化して前記スライド部材が前記ロック位置からスライドする際には、前記挿入部が前記ロック溝から前記誘導溝側に移り当該誘導溝内で相対移動するように案内され、この相対移動と連動して前記開閉部材が前記閉鎖位置から前記開放位置に移動するようになっており、
前記挿入部が前記ロック溝内に嵌り込んだ状態で前記開閉部材を前記開放位置に変位させようとする外力が加えられた場合には、その外力に応じて後方側に移動しようとする前記挿入部が前記ロック溝の内壁に押し当てられ、当該ロック溝の内壁が前記挿入部を相対移動させないように受けることによりロックされることを特徴とする請求項１又は請求項２に記載の遊技機用可変入賞装置。
【請求項５】
前記開閉部材は、前後方向に沿うようにスライド可能に設けられた第１開閉部材と、前後方向に沿うようにスライド可能に設けられ且つ少なくとも一部が前記第１開閉部材よりも前方位置に移動し得るように構成された第２開閉部材とを有し、前記第１開閉部材に対して前記第２開閉部材が所定の移動範囲で前後方向に沿って相対移動し得るように前記第１開閉部材と前記第２開閉部材とが互いに連結されており、
前記第２開閉部材又は前記第２開閉部材と連動する部材に前記挿入部が形成されており、
前記スライド部材は、前記第２開閉部材又は前記第２開閉部材と連動する部材と対向配置され、前記誘導溝を有する対向部を備えるとともに、前記所定のスライド方向が前後方向と交差する方向に沿うように配置されて前記駆動源の駆動力を受けてスライド動作し、そのスライド動作に伴って前記誘導溝がそのスライド方向に変位するようになっており、
前記誘導溝のスライド変位に伴い当該誘導溝の溝壁により前記挿入部が前方又は後方に相対移動するように押圧作用を受けることにより当該挿入部と連動して前記第２開閉部材がスライド動作するようになっており、
前記誘導口を閉鎖する際には、前記スライド部材による一方の方向へのスライド動作に伴って前記第２開閉部材が前方に移動し、且つ前記第２開閉部材が少なくとも第１の所定位置よりも前方に移動したときに、当該第２開閉部材と連動して前記第１開閉部材が前方に引き出され、
前記誘導口を開放する際には、前記スライド部材による他方の方向へのスライド動作に伴って前記第２開閉部材が後方に移動し、且つ前記第２開閉部材が少なくとも第２の所定位置よりも後方に移動したときに、当該第２開閉部材によって前記第１開閉部材が後方に引き戻され、前記誘導口の後方側において前記第１開閉部材と前記第２開閉部材が上下に重なるように配置されることを特徴とする請求項１から請求項４のいずれか一項に記載の遊技機用可変入賞装置。
【請求項６】
前記第２開閉部材又は前記第２開閉部材と連動する部材の少なくとも一部が、前記遊技盤の盤面の前方において前記誘導口の下方に形成された遊技球誘導路の側方で、前記第２開閉部材の動作に応じて変位するように配置されていることを特徴とする請求項５に記載の遊技機用可変入賞装置。
【請求項７】
前記駆動源は、励磁状態及び非励磁状態に切り替え可能なコイル部と、該コイル部か非励磁状態のときに所定量突出した突出状態となり、該コイル部が励磁状態のときに前記突出状態のときよりも突出量が小さい退避状態となるように進退するプランジャと、を備え、
前記スライド部材は、一端側が前記プランジャに固定されると共に前記プランジャの移動方向を前記所定方向とするように当該プランジャと一体的にスライド動作する構成をなし、他端側には、前記筐体に直接又は他部材を介してスライド可能に支持されるガイド部が形成されていることを特徴とする請求項１から請求項６のいずれか一項に記載の遊技機用可変入賞装置。
【請求項８】
前記スライド部材は、前記プランジャの先端部に固定される先端固定部と、前記先端固定部から屈曲して前記プランジャの軸方向に沿って延びる延出部とを備え、前記延出部が上下方向において前記開閉部材と前記駆動源との間の位置でスライド動作することを特徴とする請求項１から請求項７のいずれか一項に記載の遊技機用可変入賞装置。
【請求項９】
請求項１から請求項８のいずれか一項に記載の遊技機用可変入賞装置を備えたことを特徴とする遊技機。
【発明の詳細な説明】
【技術分野】
【０００１】
本発明は、遊技機用可変入賞装置及びそれを備えた遊技機に関するものである。
【背景技術】
【０００２】
遊技機の分野では、様々な入賞装置が提供されており、その動作態様も様々である。例えば、特許文献１では入賞装置の一例として扉式のアタッカーが開示されており、遊技盤に平行な回転軸線を中心として回動する扉状の開閉部材（７）が設けられ、この開閉部材（７）によって入賞口としての開口部（３ａ）を開閉している。この入賞装置は、開口部（３ａ）を閉鎖するときには開閉部材（７）が遊技盤の盤面方向に沿うように配されて開口部（３ａ）を塞ぎ、開放状態のときには開閉部材（７）が前側に倒れるように回動し、開口部（３ａ）の内側に遊技球を誘導するようになっている。
【先行技術文献】
【特許文献】
【０００３】
【特許文献１】実用新案登録第３０３０５７０号公報
【発明の概要】
【発明が解決しようとする課題】
【０００４】
しかしながら、特許文献１のように扉部材（開閉部材（７））を遊技盤前方側に前傾させて入賞口を開放する入賞装置では、装置内部における遊技球の誘導路（即ち、扉部材の開放時に入り込んでくる遊技球を誘導する誘導路）の全てを遊技盤の内部若しくは後方に確保しなければならず、更にソレノイドやリンク機構なども遊技盤内部或いは遊技盤後方に設けなければならないため、遊技盤後方側への嵩張りが大きくなる傾向にある。
【０００５】
また、特許文献１のように所定軸線を中心として回動するように扉部材（開閉部材（７））を配置すると、扉部材自体の動作範囲が大きくなるため、扉部材の移動時に干渉しないように確保しておくべきスペース（他部材を配置できないスペース）が大きくなってしまうというデメリットもある。例えば、特許文献１の構成では、開閉部材（７）の前側の広い範囲に亘って他部品を配置できないスペースが構成されることになり、このようなスペースの制約が、結果として設計的な制約や装置構成の大型化等の原因となってしまう。
【０００６】
本発明は、上述した課題を解決するためになされたものであり、遊技球を内部に誘導可能に構成された遊技機用可変入賞装置及びこれを備えた遊技機において、扉部材（開閉部材）の移動スペースを削減できると共に遊技盤前方側のスペースを効率的に利用することができ、遊技機後方側への装置の嵩張りを効果的に抑制し得る構成を提供することを目的とする。
【課題を解決するための手段】
【０００７】
本発明の遊技機用可変入賞装置は、
遊技機の遊技盤に直接又は他部材を介して間接的に固定され、前記遊技盤の盤面と直交する前後方向において少なくとも前記遊技盤の前方側に、前記遊技盤の盤面に沿って流下する遊技球を下方側に進入させつつ取り込む誘導口が形成されてなる筐体と、
前記前後方向に沿ってスライドするように前記筐体に直接又は他部材を介して間接的に支持され、少なくとも自身の一部を前記遊技盤の盤面の前方側に配置して前記誘導口を閉鎖する閉鎖位置と、その閉鎖位置のときよりも後方側に退避して前記誘導口を開放する開放位置との間でスライド動作するように配置された開閉部材と、
駆動力を生じさせる駆動源と、
前記駆動源の駆動力を受けて所定のスライド方向にスライド動作するスライド部材と、を備え、
前記スライド部材及び前記開閉部材のいずれか一方の部材には、前記スライド部材のスライド方向に対して傾斜した方向に沿った誘導溝が形成され、他方の部材又は他方の部材と連動する部材には、前記誘導溝内に挿入される挿入部が形成されており、
前記駆動源の駆動力を受けて前記スライド部材が前記所定のスライド方向にスライド動作したときに、前記挿入部が前記誘導溝内を相対的に移動するように案内され、その案内時における前記誘導溝の溝壁に対する前記挿入部の押圧作用に応じて、前記開閉部材が前後方向にスライド動作する構成であり、
前記開閉部材は、板状に構成された板状部を備え、その板状部の厚み方向の一方の板面部を上面として構成するとともに、前記挿入部を他方の板面部から突出した形態で形成しており、
前記スライド部材は、前記板状部の他方の板面部と対向配置され、前記誘導溝を有する対向部を備えるとともに、前記所定のスライド方向が前後方向と交差する方向に沿うように配置されて前記駆動源の駆動力を受けてスライド動作し、そのスライド動作に伴って前記誘導溝がそのスライド方向に変位するようになっており、
前記誘導溝のスライド変位に伴い当該誘導溝の溝壁により前記挿入部が前方又は後方に相対移動するように押圧作用を受けることにより前記開閉部材がスライド動作することを特徴とする。
【０００８】
本発明の遊技機は、上記遊技機用可変入賞装置が遊技盤に配置されていることを特徴とする。
【発明の効果】
【０００９】
本発明の遊技機用可変入賞装置及び遊技機によれば、遊技盤の盤面前方側に誘導口及び誘導路を確保することができ、遊技盤前方側のスペースを効率的に利用することができる。また、自身の上面部に沿った方向にスライド動作して誘導口を開閉するように開閉部材を設けることができるため、扉部材（開閉部材）の移動スペースを省スペース化することができ、開閉部材の移動が他部材に干渉し難くなる。そして、このように遊技盤前方側を効率的に使用しつつ開閉部材の移動スペースを削減できるため、駆動源等の配置スペースを確保しやすくなり、特に装置全体の後方側への嵩張りを抑制しやすくなる。
【００１０】
また、本発明において、開閉部材は、板状に構成された板状部を備え、その板状部の厚み方向の一方の板面部を上面として構成するとともに、挿入部を他方の板面部から突出した形態で形成したものであってもよい。そして、スライド部材は、板状部の他方の板面部と対向配置され、誘導溝を有する対向部を備えるとともに、所定のスライド方向が前後方向と交差する方向に沿うように配置されて駆動源の駆動力を受けてスライド動作し、そのスライド動作に伴って誘導溝がそのスライド方向に変位するようになっていてもよい。そして、誘導溝のスライド変位に伴い当該誘導溝の溝壁により挿入部が前方又は後方に相対移動するように押圧作用を受けることにより開閉部材がスライド動作するようになっていてもよい。
このように構成することで、スライド部材と開閉部材の間に介在する部品数を効果的に抑えることができ、部品点数の削減及び装置構成の小型化を図りやすくなる。
【００１１】
また、本発明において、開閉部材に連結される部材として構成されると共に当該開閉部材と共に前後動するように構成され且つ自身の一部に挿入部を有する挿入部形成部材が設けられていてもよい。そして、スライド部材は、挿入部形成部材と対向配置され、誘導溝を有する対向部を備えるとともに、所定のスライド方向が前後方向と交差する方向に沿うように配置されて駆動源の駆動力を受けてスライド動作し、そのスライド動作に伴って誘導溝がそのスライド方向に変位するようになっていてもよい。更に、誘導溝のスライド変位に伴い当該誘導溝の溝壁により挿入部が前方又は後方に相対移動するように押圧作用を受けることにより当該挿入部形成部材と連動して開閉部材がスライド動作するようになっていてもよい。
このように構成すると、連結される部材としての挿入部形成部材の介在によって開閉部材及びスライド部材の配置の自由度を増すことができ、開閉部材やスライド部材の配置上の制約或いは移動上の制約を解消しやすくなる。
【００１２】
また、本発明において、開閉部材は、前後方向に沿うようにスライド可能に設けられた第１開閉部材と、前後方向に沿うようにスライド可能に設けられ且つ少なくとも一部が第１開閉部材よりも前方位置に移動し得るように構成された第２開閉部材とを有し、第１開閉部材に対して第２開閉部材が所定の移動範囲で前後方向に沿って相対移動し得るように第１開閉部材と第２開閉部材とが互いに連結されていてもよい。
そして、第２開閉部材又は第２開閉部材と連動する部材に挿入部が形成されており、スライド部材は、第２開閉部材又は第２開閉部材と連動する部材と対向配置され、誘導溝を有する対向部を備えるとともに、所定のスライド方向が前後方向と交差する方向に沿うように配置されて駆動源の駆動力を受けてスライド動作し、そのスライド動作に伴って誘導溝がそのスライド方向に変位するようになっていてもよい。
そして、誘導溝のスライド変位に伴い当該誘導溝の溝壁により挿入部が前方又は後方に相対移動するように押圧作用を受けることにより当該挿入部と連動して第２開閉部材がスライド動作するようになっていてもよい。
この場合、誘導口を閉鎖する際には、スライド部材による一方の方向へのスライド動作に伴って第２開閉部材が前方に移動し、且つ第２開閉部材が少なくとも第１の所定位置よりも前方に移動したときに、当該第２開閉部材と連動して第１開閉部材が前方に引き出され、誘導口を開放する際には、スライド部材による他方の方向へのスライド動作に伴って第２開閉部材が後方に移動し、且つ第２開閉部材が少なくとも第２の所定位置よりも後方に移動したときに、当該第２開閉部材によって第１開閉部材が後方に引き戻され、誘導口の後方側において第１開閉部材と第２開閉部材が上下に重なるように配置されるようになっていること望ましい。
この構成では、単一の大きな開閉部材のみで構成するのではなく、前後の幅を抑えた複数の開閉部材によって構成し、開放時にはこれらを上下に重ねてコンパクトに配置できるため、開閉部材の遊技機後方側への嵩張り或いは飛び出しをより一層抑制しやすくなる。
【００１３】
また、本発明において、第２開閉部材又は第２開閉部材と連動する部材の少なくとも一部が、遊技盤の盤面の前方において誘導口の下方に形成された遊技球誘導路の側方で、第２開閉部材の動作に応じて変位するように配置されていてもよい。
この構成によれば、開閉部材の後方側への嵩張りやはみ出しを抑制する効果に加え、スライド部材に作用する部分（第２開閉部材又は第２開閉部材の連動する部材の少なくとも一部）を前側に効率的に配置してこれらの後方側への嵩張りを抑制する効果をも得ることができ、入賞装置全体としてより前側に部品をまとめ、後方側のスペースを他の用途に利用させやすくすることができる。
【００１４】
また、本発明において、開閉部材及びスライド部材の一方に、誘導溝と連続するようにスライド方向に延びるロック溝が形成され、スライド部材は、前後方向への移動が規制されるように構成されていてもよい。そして、駆動源が非駆動状態とされたときに、このスライド部材は、挿入部がロック溝内に嵌り込むロック位置となるように構成されていてもよい。更に、駆動源が非駆動状態から駆動状態に変化してスライド部材がロック位置からスライドする際に、挿入部がロック溝から誘導溝側に移り当該誘導溝内で相対移動するように案内され、この相対移動と連動して開閉部材が閉鎖位置から開放位置に移動するようになっていてもよい。そして、挿入部がロック溝内に嵌り込んだ状態で開閉部材を開放位置に変位させようとする外力が加えられた場合に、その外力に応じて後方側に移動しようとする挿入部がロック溝の内壁に押し当てられ、当該ロック溝の内壁が挿入部を相対移動させないように受けることによりロックされるように構成されていてもよい。
このようにすると、駆動源の制御に起因する正規の開放動作では、問題なくスムーズに開閉部材を良好に開閉することができる。一方、開閉部材が閉鎖位置にあるときに開閉部材を開放位置に移動させようとする不正な外力が加えられたとしても、挿入部がロック溝内で維持されて開閉部材の移動が規制されることになるため、開閉部材の不正な開放をより確実に防ぐことができる。
【００１５】
また、本発明において、駆動源は、励磁状態及び非励磁状態に切り替え可能なコイル部と、該コイル部が非励磁状態のときに所定量突出した突出状態となり、該コイル部が励磁状態のときに、その突出状態のときよりも突出量が小さい退避状態となるように進退するプランジャと、を備えた構成であってもよい。この場合、スライド部材は、一端側がプランジャに固定されると共にプランジャの移動方向を所定方向とするように当該プランジャと一体的にスライド動作する構成をなし、他端側には、筐体に直接又は他部材を介してスライド可能に支持されるガイド部が形成されていることが望ましい。
この構成によれば、スライド部材を所定方向に往復動させ得る構成を、部品点数を抑えて簡易に実現できる。また、スライド部材の一端側は駆動源のプランジャに固定され、他端側に形成されたガイド部が筐体によって案内される格好となるため、スライド部材をより安定的にスライドさせることが可能となり、その結果、スライド部材の動作をより円滑に開閉部材に伝達してスムーズに入賞口を開閉することが可能となる。
【００１６】
また、本発明において、スライド部材は、プランジャの先端部に固定される先端固定部と、先端固定部から屈曲して前記プランジャの軸方向に沿って延びる延出部とを備えていてもよい。そして、延出部が、上下方向において開閉部材と駆動源との間の位置でスライド動作するように構成されていてもよい。
このように構成することで、スライド部材の一部を開閉部材と駆動源の間に効率的に配置することができる。
【図面の簡単な説明】
【００１７】
【図１】図１は、本発明の第１実施形態に係る遊技機用可変入賞装置を備えた遊技機を例示する正面図である。
【図２】図２（Ａ）は、本発明の第１実施形態に係る遊技機用可変入賞装置に関し、開閉部材が閉鎖位置にあるときの状態を前方側且つ斜め上方側から見た斜視図であり、図２（Ｂ）は、その遊技機用可変入賞装置において開閉部材が開放位置となったときの状態を示す斜視図である。
【図３】図３（Ａ）は、図２（Ａ）の遊技機用可変入賞装置の正面図であり、図３（Ｂ）その背面図である。
【図４】図４（Ａ）は、図２（Ａ）の遊技機用可変入賞装置に関し、開閉部材が閉鎖位置にあるときの平面図であり、図４（Ｂ）は、その底面図である。
【図５】図５は、図２の遊技機用可変入賞装置を前方側且つ斜め上方側から見た分解斜視図である。
【図６】図６は、図２の遊技機用可変入賞装置を後方側且つ斜め下方側から見た分解斜視図である。
【図７】図７（Ａ）は、図３（Ａ）のＡ−Ａ断面を概略的に示す断面図であり、図７（Ｂ）は、開閉部材が開放位置にあるときの図７（Ａ）に対応した断面図である。
【図８】図８（Ａ）は、図３（Ａ）のＢ−Ｂ断面を概略的に示す断面図であり、図８（Ｂ）は、開閉部材が開放位置にあるときの図８（Ａ）に対応した断面図である。
【図９】図９は、図２の遊技機用可変入賞装置における、駆動源、スライド部材、及び開閉部材の連係状態を後方側且つ斜め上方側から見た斜視図であり、図９（Ａ）は、開閉部材が閉鎖位置にあるときの状態を示す図であり、図９（Ｂ）は、開閉部材が開放位置にあるときの状態を示す図である。
【図１０】図１０は、図９の連係状態を後方から見た背面図であり、図１０（Ａ）は、開閉部材が閉鎖位置にあるときの状態を示す図であり、図１０（Ｂ）は、開閉部材が開放位置にあるときの状態を示す図である。
【図１１】図１１は、図９の連係状態を側方から見た状態を示す説明図であり、図１１（Ａ）は、開閉部材が閉鎖位置にあるときの状態を示す図であり、図１１（Ｂ）は、開閉部材が開放位置にあるときの状態を示す図である。
【図１２】図１２は、本発明の第２実施形態に係る遊技機用可変入賞装置の一部について、開閉部材が閉鎖位置にあるときの様子を示す斜視図である。
【図１３】図１３は、図１２に対応する図であり、第２実施形態に係る遊技機用可変入賞装置の一部について、開閉部材が開放位置にあるときの様子を示す斜視図である。
【図１４】図１４は、第２実施形態の遊技機用可変入賞装置における、駆動源、スライド部材、連結部材、及び開閉部材の連係状態を後方側且つ斜め上方側から見た斜視図であり、図１４（Ａ）は、開閉部材が閉鎖位置にあるときの状態を示す図であり、図１４（Ｂ）は、開閉部材が開放位置にあるときの状態を示す図である。
【図１５】図１５は、図１４の連係状態を後方から見た状態を示す説明図であり、図１５（Ａ）は、開閉部材が閉鎖位置にあるときの状態を示す図であり、図１５（Ｂ）は、開閉部材が開放位置にあるときの状態を示す図である。
【図１６】図１６は、図１４の連係状態を側方から見た状態を示す説明図であり、図１６（Ａ）は、開閉部材が閉鎖位置にあるときの状態を示す図であり、図１６（Ｂ）は、開閉部材が開放位置にあるときの状態を示す図である。
【図１７】図１７（Ａ）は、本発明の第３実施形態に係る遊技機用可変入賞装置に関し、開閉部材が閉鎖位置にあるときの状態を前方側且つ斜め上方側から見た斜視図であり、図１７（Ｂ）は、その遊技機用可変入賞装置において開閉部材が開放位置となったときの状態を示す斜視図である。
【図１８】図１８は、図１７の遊技機用可変入賞装置を前方側且つ斜め上方側から見た分解斜視図である。
【図１９】図１９は、図１７の遊技機用可変入賞装置を後方側且つ斜め下方側から見た分解斜視図である。
【図２０】図２０は、図１７の遊技機用可変入賞装置における、駆動源、スライド部材、連結部材、開閉部材等を前方側且つ斜め上方側から見た一部分解斜視図である。
【図２１】図２１は、図１７の遊技機用可変入賞装置における、駆動源、スライド部材、連結部材、開閉部材等を後方側且つ斜め下方側から見た一部分解斜視図である。
【図２２】図２２は、図１７の遊技機用可変入賞装置における駆動源、スライド部材、連結部材、開閉部材等の連係状態を前方側且つ斜め上方側から見た斜視図である。図２２（Ａ）は、開閉部材が閉鎖位置にあるときの様子を示す図であり、図２２（Ｂ）は、開閉部材が開放位置にあるときの様子を示す図である。
【図２３】図２３は、図２２の連係状態を後方側から示す説明図であり、図２３（Ａ）は、開閉部材が閉鎖位置にあるときの様子を示す図であり、図２３（Ｂ）は、開閉部材が開放位置にあるときの様子を示す図である。
【図２４】図２４は、図１７の遊技機用可変入賞装置の正面図である。
【図２５】図２５は、図２４のＣ−Ｃ位置の構成を概略的に示す断面図であり、図２５（Ａ）は、開閉部材が閉鎖位置にあるときの様子を示す図であり、図２５（Ｂ）は、閉鎖位置のときから第２開閉部材のみがある程度退避したときの様子を示す図であり、図２５（Ｃ）は、開閉部材が開放位置にあるときの様子を示す図である。
【図２６】図２６は、図２４のＤ−Ｄ位置の構成を概略的に示す断面図であり、図２６（Ａ）は、開閉部材が閉鎖位置にあるときの様子を示す図であり、図２６（Ｂ）は、閉鎖位置のときから第２開閉部材のみがある程度退避したときの様子を示す図であり、図２６（Ｃ）は、開閉部材が開放位置にあるときの様子を示す図である。
【図２７】図２７は、図２４のＥ−Ｅ位置の構成を概略的に示す断面図であり、図２７（Ａ）は、開閉部材が閉鎖位置にあるときの様子を示す図であり、図２７（Ｂ）は、閉鎖位置のときから第２開閉部材のみがある程度退避したときの様子を示す図であり、図２７（Ｃ）は、開閉部材が開放位置にあるときの様子を示す図である。
【図２８】図２８は、図２４のＦ−Ｆ位置の構成を概略的に示す断面図であり、図２８（Ａ）は、開閉部材が閉鎖位置にあるときの様子を示す図であり、図２８（Ｂ）は、閉鎖位置のときから第２開閉部材のみがある程度退避したときの様子を示す図であり、図２８（Ｃ）は、開閉部材が開放位置にあるときの様子を示す図である。
【図２９】図２９は、図２４のＣ−Ｃ位置の構成について、開閉部材が開放位置から閉鎖位置に変化するときの様子を示す概略断面図であり、図２９（Ａ）は、開閉部材が開放位置にあるときの様子を示す図である。図２９（Ｂ）は、開放位置のときから第２開閉部材のみがある程度前方に突出したときの様子を示す図であり、図２９（Ｃ）は、開閉部材が閉鎖位置にあるときの様子を示す図である。
【図３０】図３０は、図２４のＤ−Ｄ位置の構成について、開閉部材が開放位置から閉鎖位置に変化するときの様子を示す概略断面図であり、図３０（Ａ）は、開閉部材が開放位置にあるときの様子を示す図である。図３０（Ｂ）は、開放位置のときから第２開閉部材のみがある程度前方に突出したときの様子を示す図であり、図３０（Ｃ）は、開閉部材が閉鎖位置にあるときの様子を示す図である。
【図３１】図３１は、本発明の第４実施形態の遊技機用可変入賞装置に関し、駆動源、スライド部材、及び開閉部材の連係状態を後方側且つ斜め上方側から見た斜視図であり、図３１（Ａ）は、開閉部材が閉鎖位置にあるときの状態を示す図であり、図３１（Ｂ）は、開閉部材が開放位置にあるときの状態を示す図である。
【図３２】図３２は、図３１の連係状態を上方側から見た説明図であり、図３２（Ａ）は、開閉部材が閉鎖位置にあるときの状態を示す図であり、図３２（Ｂ）は、開閉部材が開放位置にあるときの状態を示す図である。
【図３３】図３３は、図３１の連係状態を図３１とは異なる角度から見た斜視図であり、図３３（Ａ）は、開閉部材が閉鎖位置にあるときの状態を示す図であり、図３３（Ｂ）は、開閉部材が開放位置にあるときの状態を示す図である。
【発明を実施するための形態】
【００１８】
[第１実施形態]
以下、本発明に係る遊技機用可変入賞装置１０及びそれを備えた遊技機１を具現化した第１実施形態について、図面を参照して説明する。
図１に示す遊技機１は、いわゆるパチンコ機として構成されるものであり、木板（ベニヤ板）、アクリル板等によって構成される遊技盤２の盤面（前面２ａ）に沿って遊技球Ｂの発射を誘導するガイドレール５が設けられ、このガイドレール５等によって区画された形態で遊技領域が形成されている。また、遊技盤２の中央付近には、各種表示を行い得る液晶表示部３が配置され、この液晶表示部３の下方には、始動口７が配置されている。そして、液晶表示部３の下方側且つ始動口７の側方には、本発明に係る遊技機用可変入賞装置１０が配置されている。なお、遊技機１には、遊技盤２の前方において当該遊技盤２の盤面２ａとほぼ平行に透明板（ガラス板等）が配置され、ガイドレール５等によって区画された遊技領域内において透明板と遊技盤２との間を遊技球Ｂが流下するように構成されている。
【００１９】
以下、第１実施形態に係る遊技機用可変入賞装置１０について説明する。
図１に示すように、遊技機用可変入賞装置１０（以下、入賞装置１０ともいう）は、遊技機１の遊技盤２に固定されて用いられるものであり、その一部が遊技盤２の前方側から視認可能となるように露出した状態で配置されるようになっている。この入賞装置１０は、図２に示すように遊技盤２の前面２ａ（盤面：図４、図８等参照）の前方側において上方側に開放した開口形態で配される誘導口１２と、この誘導口１２を開閉する開閉部材２０を備えており、開閉部材２０が図２（Ａ）に示す閉鎖位置にあるときには、この開閉部材２０によって誘導口１２が閉鎖されて遊技領域から装置内への遊技球の進入が遮断されるようになっている。一方、開閉部材２０が図２（Ｂ）に示す開放位置にあるときには、誘導口１２が開放されて遊技領域から装置内への遊技球の進入が許容されるようになっている。なお、図１等に示す代表例では、誘導口１２が大入賞口として機能するアタッカーとしての例を示すが、遊技球が入賞し得る構成であれば電動チューリップや役物等の様々な入賞装置に適用できることは勿論である。
【００２０】
本明細書において、「前後方向」とは、遊技盤２の前面２ａと直交する方向を意味し、前面２ａに対し遊技者が位置するべき側を前方側、それとは反対側（即ち、遊技機１奥側）を後方側とする。また、「上下方向」とは、前後方向と直交する方向であって遊技球が流下する方向を意味する。また、「左右方向」とは、上記「前後方向」及び「上下方向」と直交する横方向を意味する。なお、図４、図７、図８では、遊技盤２の前面２ａ（盤面）及び後面２ｂの位置を二点鎖線にて仮想的に示している。
【００２１】
入賞装置１０は、例えば遊技機１の遊技盤２に直接的に固定されて用いられるものであり、図５、図６に示すように、遊技盤２の前面２ａに沿って流下する遊技球を下方側に進入させつつ取り込む誘導口１２（図２等）が形成されてなる筐体８０と、前後方向に沿ってスライドし得るように筐体８０に支持されてなる開閉部材２０と（図３等参照）、駆動力を生じさせるソレノイド４０と、ソレノイド４０の駆動力を受けて左右方向にスライド動作するスライド部材３０とを備えている。以下、入賞装置１０を構成するこれら部品等について詳述する。
【００２２】
まず、入賞装置１０の外郭をなす筐体８０について説明する。
図５に示すように、筐体８０は、入賞装置１０の最前面に配置されて前面側の意匠を形成する前板部８１と、大部分又は全体が遊技盤２の前面２ａ（図７等）の前側に配置されて誘導口１２から入賞した遊技球を受け止めるように構成される前側ベース部８２と、遊技盤２に当接して固定される台板部８３と、後述する開閉部材２０、スライド部材３０、ソレノイド４０等を支持し収容する機能を有する後側上方ベース部８４及び後側下方ベース部８５によって構成されており、図２に示すように遊技領域から遊技球を入り込ませる誘導口１２を構成すると共に、その誘導口１２に入り込んだ遊技球を導く遊技球誘導路１４を構成するように機能している。
【００２３】
前板部８１は、図５、図６に示すように、横方向に長い板状に構成されると共に遊技盤２の前面と略平行に配される前板８１ａを備えており、この前板８１ａから後方側に複数のボス８１ｂが突出した形態をなしている。
【００２４】
前側ベース部８２は、図５、図６に示すように横方向に延びる長手状に構成されると共に横方向中央部が下方側に凹んだ形態をなしている。この前側ベース部８２は、前壁部８２ａにおいて後方側に貫通する複数の貫通孔８２ｂが形成されており、これら貫通孔８２ｂに前板部８１のボス８１ｂが挿し通される形態で前板部８１が組み付けられるようになっている。この前側ベース部８２の凹みの部分には、左右一対で配される側壁８２ｃ、８２ｄ（側壁８２ｃが右側、側壁８２ｄが左側）と、これら側壁８２ｃ、８２ｄのそれぞれの下端部側に連結される底壁部８２ｅとが設けられている。更に、側壁８２ｃの上端部側に連結される形態で上流側底壁５１ａが設けられ、側壁８２ｄの上端部側に連結される形態で下流側底壁５２ａが設けられている。
【００２５】
台板部８３は、図５、図６に示すように、遊技盤２の前面２ａ（盤面：図４等）に固定される構成でこの前面２ａに沿って配される板状の台板８３ａと、この台板８３ａから後方側に延びる板状のカバー部８３ｂとを備えている。上述の前側ベース部８２及び前板部８１は、ボス８１ｂが貫通孔８２ｂに挿し通された状態で台板８３ａの前面側に当接し、この状態でねじ等の締結部材９１によって台板８３ａに固定されるようになっている。
【００２６】
後側上方ベース部８４及び後側下方ベース部８５は、後述するソレノイド４０やスライド部材３０を収容して保持するように機能する部分であり、図５、図６のようにねじ等の締結部材９３によって互いに固定されると共に、ねじ等の締結部材９２によって台板８３ａの後面側に固定されるようになっている。このように構成される前板部８１、前側ベース部８２、台板部８３、後側上方ベース部８４及び後側下方ベース部８５が一体的に結合して筐体８０を構成しており、各種部品を保持すると共に内部に遊技球の流路を構成するようになっている。
【００２７】
このように構成される筐体８０は、図２のように、上流側底壁５１ａ及び台板８３ａの一部（上流側底壁５１ａに隣接する部分）によって上流側流路５１が構成されており、この上流側流路５１は、入賞装置１０の外部（遊技領域）を流れる遊技球が上流側底壁５１ａ上で受け止められたときにこの遊技球を横方向に誘導するようになっている（図３（Ａ）も参照）。また、下流側底壁５２ａ及び台板８３ａの一部（下流側底壁５２ａに隣接する部分）によって下流側流路５２が構成されており、この下流側流路５２は、入賞装置１０の外部（遊技領域）を流れる遊技球が下流側底壁５２ａ上で受け止められたときにこの遊技球を横方向に誘導するようになっている。そして、図２（Ｂ）のように、上流側底壁５１ａの左側端部（下流側底壁５２ａと対向する端部）と下流側底壁５２ａの右側端部（上流側底壁５１ａと対向する端部）とによって構成される開口が誘導口１２となっている。
【００２８】
この誘導口１２は、入賞口として構成される部分であり、上流側底壁５１ａの上を左側に流れてきた遊技球や下流側底壁５２ａの上を右側に流れてきた遊技球、或いは上方側から当該誘導口１２に向かって落下してきた遊技球などを装置内に入り込ませて入賞させるように機能している。なお、上流側底壁５１ａは、全体的に誘導口１２側よりもその反対側のほうが低くなっており、上流側底壁５１ａ上の遊技球は誘導口１２とは反対側に流れやすくなっている。また、下流側底壁５２ａも、全体的に誘導口１２側よりもその反対側のほうが低くなっており、下流側底壁５２ａ上の遊技球も誘導口１２とは反対側に流れやすくなっている。
【００２９】
また、図２、図３（Ａ）、図７、図８等に示すように、誘導口１２の下方側には、遊技球を誘導する遊技球誘導路１４が構成されている。遊技球誘導路１４は、前板部８１の前板８１ａ及び前側ベース部８２の前壁部８２ａの上部によって前方側の内壁部が構成され、後側上方ベース部８４の前壁部８４ａによって後方側の内壁部が構成されており、これらが前後に対向することで左右に延びる流路を形成している。また、前側ベース部８２の側壁８２ｃ、８２ｄが左右の内壁部を構成し、底壁部８２ｅが底壁を構成しており、全体として横長の箱状形態をなしている。この遊技球誘導路１４は、底壁部８２ｅの一方側（側壁８２ｃ側）が高く他方側（側壁８２ｄ側）となるにつれて低くなるように底部が傾斜した構成となっており、誘導口１２から入り込んだ遊技球が底壁部８２ｅ上を転がり、側壁８２ｄ側（即ち左側）に導かれるようになっている。
【００３０】
また、図２、図７のように、遊技球誘導路１４において底壁部８２ｅ寄りの位置には、後側上方ベース部８４の前壁部８４ａから前方側に突出する形態で三角状の整流突起１０１ａ、１０１ｂが形成されている。これら整流突起１０１ａ、１０１ｂは、上流側（側壁８２ｃ側）から下流側（側壁８２ｄ側）となるにつれて次第に突出量が大きくなるようにテーパ状に形成されている。また、左右方向一方側の側壁８２ｄには、左右方向他方側に突出する形態で突起１０１ｃが形成されている。この突起１０１ｃは、前方側から後方側となるにつれて次第に突出量が小さくなるテーパ状に形成されており、上流側（右側）からの遊技球を受けたときにこの遊技球を後方側に跳ね返らせるように機能している。
【００３１】
図２（Ｂ）に示すように、遊技球誘導路１４において前壁部８４ａの左右方向一端側（側壁８２ｄ側）には、開口部１５が形成されている。前側ベース部８２の底壁部８２ｅは、側壁８２ｄ側の端部付近が一段低くなった段差部８２ｈとして構成されており、遊技球誘導路１４内を一方側（側壁８２ｃ側）から他方側（側壁８２ｄ側）に導かれた遊技球は、段差部８２ｈに至った後にこの段差部８２ｈにて開口部１５側に導かれ、開口部１５内に進入するようになっている。
【００３２】
更に、段差部８２ｈに隣接するように後側下方ベース部８５の底壁部８５ａが配置されており、段差部８２ｈから開口部１５内に入り込んだ遊技球は底壁部８５ａ上を後方に向かって転がり、後側下方ベース部８５に形成された排出口８５ｂから落下して排出されるようになっている。また、排出口８５ｂの下方側には、検出センサ６０の貫通孔６１側が配置されており、排出口８５ｂから下方側に排出された遊技球が貫通孔６１内を通るようになっている。なお、検出センサ６０は公知の球検出センサとして構成されており、遊技球が貫通孔６１内を通過したときに検出信号を発するようになっている。
【００３３】
次に、開閉部材２０、スライド部材３０、ソレノイド４０について説明する。
開閉部材２０は、遊技盤２の前面２ａ（盤面）の前方側に形成された誘導口１２を開閉するように機能するものであり、自身の一部を前面２ａ（盤面）の位置よりも前方側に配置して誘導口１２を閉鎖する閉鎖位置（図２（Ａ）、図４（Ａ）、図８（Ａ）等）と、この閉鎖位置のときよりも後方側に退避して誘導口１２を開放する開放位置（図２（Ｂ）、図８（Ｂ）等）とに変位し得るように、前後にスライド動作するように構成されている。
【００３４】
この開閉部材２０は、図５等に示すように、板状に構成された板状部２１を備えており、板状部２１の一方の板面部（上方側の板面部）が上面部２１ａとして構成されている。また、図６等に示すように、板状部２１の他方の板面部（下方側の板面部）から下方側に突出した形態で突起形状からなる挿入部２３が形成されている。そして、開閉部材２０は、この挿入部２３が後述するスライド部材３０からの作用を受けて前後動するようになっており、この挿入部２３の前後動作と連動して板状部２１が前後動するようになっている。
【００３５】
本実施形態では、図５に示すように、開閉部材２０における板状部２１の両端部が後側上方ベース部８４の側壁８４ｃ、８４ｄによって支持されるようになっており、板状部２１の下面側が後側上方ベース部８４の上面部８４ｂによって支持され、図６、図８のように、板状部２１の上面側が台板部８３のカバー部８３ｂによって支持されるようになっている。そして、側壁８４ｃ、８４ｄによって左右に挟まれる構成で開閉部材２０の左右への移動が規制され、上面部８４ｂ及びカバー部８３ｂによって上下に挟まれる構成で開閉部材２０の上下への移動が規制されているため、開閉部材２０は、前後への移動のみが許容されるようになっている。なお、開閉部材２０の板状部２１の上面部には、上方に向けて背面視三角形状となるように突出する形態で、ガイド突起２５が形成されている。このガイド突起２５は、左右に延びる左右リブ２５ａと、前後に延びる前後リブ２５ｂ、２５ｃとを有しており、左右リブ２５ａは上面部が左右方向に拡がるように左右に長手状に形成されている。また前後リブ２５ｂ、２５ｃは、左右リブ２５ａの左右端部に連結される形態で前後に延びている。カバー部８３ｂの下面側には、このガイド突起２５を前後に案内する前後方向のガイド溝８３ｄが形成されている。ガイド突起２５は、ガイド溝８３ｄに沿ってガイド溝８３ｄ内を前後に移動するようになっている。また、前後リブ２５ｂ、２５ｃの前端部は、板状部２１の前後方向中間位置よりやや後方位置となっており、図８（Ａ）のように、開閉部材２０が閉鎖位置となったときにガイド溝８３ｄの前側に内壁部に当接するようになっている。即ち、前後リブ２５ｂ、２５ｃは、開閉部材２０がその閉鎖位置よりも前側に移動しないように規制するストッパーとしての役割を果たしている。
【００３６】
ソレノイド４０は、図５、図６等に示すように、励磁状態及び非励磁状態に切り替え可能なコイル部４１と、該コイル部４１が非励磁状態のときに所定量突出した突出状態（図９（Ａ）、図１０（Ａ））となり、該コイル部４１が非励磁状態のときに突出状態のときよりも突出量が小さい退避状態（図９（Ｂ）、図１０（Ｂ））となるように進退するプランジャ４２とを備えている。プランジャ４２は、磁性体によって構成されると共に図５、図６のように一端側の端部にフランジ部４２ａが形成されており、他端側がコイル部４１内に挿し込まれている。そして、プランジャ４２の周囲且つフランジ部４２ａとコイル部４１の間にはフランジ部４２ａをコイル部４１から離間する方向に付勢するコイルばね４３が配置されている。このソレノイド４０は、コイル部４１が非励磁状態のときには、コイルばね４３の付勢によりプランジャ４２がある程度コイル部４１の外側に押し出された位置となり（図９（Ａ）、図１０（Ａ））、コイル部４１が励磁状態のときには、コイルばね４３の付勢に抗してプランジャ４２がコイル部４１内に引き込まれるようになっている（図９（Ｂ）、図１０（Ｂ））。
【００３７】
スライド部材３０は、図５、図６、図９、図１０等に示すように、全体として板状でかつＬ字形状をなしており、開閉部材２０の板状部２１と対向する板状の対向部３４と、この対向部３４の左右方向一端側から下方側に折れ曲がる板状の固定壁３３とを備えている。固定壁３３は、先端固定部の一例に相当するものであり、上下方向に沿って延びると共にその厚さ方向を左右方向とするように配置されており、この固定壁３３の下端側の切欠部３３ａ（図６）にプランジャ４２のフランジ部４２ａが嵌合構造で固定されるようになっている。対向部３４は、延出部の一例に相当するものであり、板厚方向を上下方向とする構成で板状形態をなしており、ソレノイド４０の上方側においてプランジャ４２の長手方向（左右方向）に沿ってプランジャ４２の先端側からコイル部４１側に延びている。すなわち、スライド部材３０は、ソレノイド４０の駆動力を開閉部材２０に伝達する伝達部材として機能するものであり、一端側（先端固定部に相当する固定壁３３）がプランジャ４２に固定されると共にプランジャ４２の移動方向（左右方向）と同方向に一体的にスライド動作する構成をなしている。また、延出部に相当する対向部３４は、プランジャ４２の軸方向に沿って延びており、上下方向において開閉部材２０とソレノイド４０の間の位置でスライド動作するようになっている。
【００３８】
更に、スライド部材３０には、対向部３４の上面部に上方側にリブ状に立ち上がるように形成された２つの立壁３２ａ、３２ｂからなる誘導溝３２が形成されている。この誘導溝３２は、対向する２つの立壁３２ａ、３２ｂの内側が上述の挿入部２３と遊嵌し且つ挿入部２３を誘導する溝として機能しており、２つの立壁３２ａ、３２ｂがいずれもスライド部材３０のスライド方向（即ち左右方向）に対して傾斜して配されることで誘導溝３２の溝方向もスライド部材３０のスライド方向に対して傾斜した方向となっている。また、誘導溝３２は、前端部付近から後端部付近に至るまでのほぼ大部分において立壁３２ａ、３２ｂの間隔（幅）が、挿入部２３の径よりもやや大きくなっており、前端部及び後端部では、立壁３２ａ、３２ｂの間隔（幅）が、挿入部２３の径よりも小さくなっている。これにより、誘導溝３２内に遊嵌されている挿入部２３が誘導溝３２の前端部から前方に離脱せず、誘導溝３２の後端部から後方に離脱しないようになっている。即ち、立壁３２ａ、３２ｂの間隔が前端部及び後端部で絞られることで抜け止めがなされている。
【００３９】
また、対向部３４には、左右方向一端側（固定壁３３側とは反対側の端部側）から横方向に突出する形態でガイド部３８が形成されている。このガイド部３８は、後側上方ベース部８４に形成されたガイド孔８４ｅ（左右方向の貫通孔）に挿入され、このガイド孔８４ｅによってガイド部３８の前後方向及び上下方向の移動が規制されており、これによりガイド部３８が左右にスライドし得るように案内されるようになっている。また、ガイド部３８がガイド孔８４ｅに挿入されて支持されるようになっているため、固定壁３３を基端として片持ち状に構成された対向部３４における上下方向の撓みを防ぐことができ、誘導溝３２から挿入部２３が外れることを防止している。
【００４０】
また、本構成では、先端固定部に相当する固定壁３３から、延出部に相当する対向壁３４がプランジャ４２の軸方向に沿って延びており、この対向部３４は、上下方向において開閉部材２０とソレノイド４０との間の位置でスライド動作するようになっている。このように、スライド部材３０の対向部３４が、開閉部材２０とソレノイド４０との間で動作するので、効率よく空間を利用することができ、コンパクト化を図ることができる。また、図１０に示すように、幅方向（左右方向）においては、スライド部材３０及びソレノイド４０が開閉部材２０の幅（左右幅）内にほぼ収まっており、図１０（Ｂ）のように、プランジャ４２が没入したときにはスライド部材３０及びソレノイド４０の全体が開閉部材２０の幅内に収まるようになっている。また、前後方向においても、図１１（Ｂ）に示すような開放状態のときには、スライド部材３０及びソレノイド４０が開閉部材２０の幅（前後幅）内に収まるようになっている。このような構成によれば、ソレノイド３０と開閉部材４０の間の部材をスライド部材３０だけとすることができるため、部品点数が少なく、簡単な構造とすることができる。さらに、挿入部２３を開閉部材２０の左右方向中央領域に形成しているので、安定して開閉部材２０を動作させることができる。
【００４１】
このように構成される開閉部材２０、スライド部材３０、ソレノイド４０では、図９〜図１１で示すように、ソレノイド４０の駆動力を受けてスライド部材３０が左右方向にスライド動作するときに、挿入部２３が誘導溝３２内を相対的に移動するように案内され、その案内時における誘導溝３２の溝壁に対する挿入部２３の押圧作用に応じて、開閉部材２０が前後方向に沿うようにスライド動作するようになっている。
【００４２】
具体的には、図９（Ａ）から図９（Ｂ）への変化（図１０（Ａ）から図１０（Ｂ）への変化、及び図１１（Ａ）から図１１（Ｂ）への変化も参照）のように、ソレノイド４０のコイル部４１が非励磁状態から励磁状態に変化するのに伴ってプランジャ４２がコイル部４１内に引き込まれたときには、スライド部材３０はこのプランジャ４２の駆動力を受けてプランジャ４２の移動方向（左方向）と同方向にスライド動作する。このとき、このスライド部材３０のスライド動作に伴って誘導溝３２がそのスライド方向（左方向）に変位し、誘導溝３２のスライド変位に伴い当該誘導溝３２の立壁３２ａ（溝壁）により挿入部２３が後方に相対移動するように押圧作用を受けて開閉部材２０が後方側にスライド動作する。このようにして閉鎖状態から開放状態に変化することとなる。
【００４３】
逆に、図９（Ｂ）から図９（Ａ）のような変化（図１０（Ｂ）から図１０（Ａ）への変化、図１１（Ｂ）から図１１（Ａ）への変化も参照）のように、ソレノイド４０のコイル部４１が励磁状態から非励磁状態に変化するのに伴ってプランジャ４２がコイル部４１内から所定量突出したときには、スライド部材３０はこのプランジャ４２の駆動力を受けてプランジャ４２の移動方向（右方向）と同方向にスライド動作する。このとき、このスライド部材３０のスライド動作に伴って誘導溝３２がそのスライド方向（右方向）に変位し、誘導溝３２のスライド変位に伴い当該誘導溝３２の立壁３２ｂ（溝壁）により挿入部２３が前方に相対移動するように押圧作用を受けて開閉部材２０が前方側にスライド動作する。このようにして、開放状態から閉鎖状態に変化することとなる。
【００４４】
[第２実施形態]
次に、本発明の第２実施形態について図１２〜図１６を参照して説明する。
第２実施形態は、開閉部材とスライド部材との間に連結部材２５０を設けた点、及びスライド部材において誘導溝の位置を若干ずらした点、及び後側上方ベース部の上面部の構成を若干変更した点が第１実施形態と異なり、それ以外は第１実施形態と同様である。よって、連結部材２５０、スライド部材、及び後側上方ベース部以外は第１実施形態と同一であるとして、詳細な説明は省略する。また、第１実施形態と同様の構成のものについては第１実施形態と同一の符号を付すこととし、図１２〜図１６に開示される部品以外については、適宜図１〜図１１における同様の部品を参照することとする。なお、図１２、図１３では、筐体の一部をなす後側上方ベース部２８４に対してスライド部材２３０及び連結部材２５０が組付けられ、この組付体から開閉部材２０を取り外した状態を概略的に示している。
【００４５】
第２実施形態の遊技機用可変入賞装置は、図１２、図１４等に示すように、開閉部材２０とスライド部材２３０の間に、開閉部材２０に連結されると共に当該開閉部材２０と共に前後動するように取り付けられた連結部材２５０が設けられている。そして、この連結部材２５０は、「連動する部材」「挿入部形成部材」の一例に相当し、連結部材２５０の一部がスライド部材２３０に形成された誘導溝２３２に挿入される挿入部２５４として構成されている。
【００４６】
第２実施形態の開閉部材２０は、第１実施形態の同様の構成をなすと共に第１実施形態と同様に機能しており、遊技盤２の前面２ａ（盤面：図４等）の前方側に形成された誘導口（第１実施形態の誘導口１２と同様の誘導口：図２、図４等参照）を開閉するように構成され、自身の一部を前面２ａ（盤面）の位置よりも前方側に配置して誘導口１２を閉鎖する閉鎖位置（図２（Ａ）、図４（Ａ）、図８（Ａ）等参照）と、この閉鎖位置のときよりも後方側に退避して誘導口１２を開放する開放位置（図２（Ｂ）、図８（Ｂ）等参照）とに変位し得るように、前後にスライド動作するように構成されている。
【００４７】
なお、本構成では、図１２等に概念的に示すように、開閉部材２０における板状部２１の両端部が後側上方ベース部２８４の側壁２８４ｃ、２８４ｄによって支持されるようになっており、図５のように、板状部２１の下面側が後側上方ベース部２８４の上面部２８４ｂによって支持され、板状部２１の上面側が第１実施形態のカバー部８３ｂ（図５等参照）と同様のカバー部によって支持されるようになっている。そして、側壁２８４ｃ、２８４ｄによって左右に挟まれる構成で開閉部材２０の左右への移動が規制され、上面部２８４ｂ及び前記カバー部によって上下に挟まれる構成で開閉部材２０の上下への移動が規制されているため、開閉部材２０は、前後への移動のみが許容されるようになっている。
【００４８】
連結部材２５０は、第１実施形態と同様に構成された開閉部材２０の突起（挿入部２３）に固定される固定部２５１を備え、この固定部２５１に形成された穴部２５２内に開閉部材２０の突起（挿入部２３）が嵌合して固定されるようになっている。また、横方向に沿って延びるアーム部２５６が固定部２５１と一体的に連結されており、更にこのアーム部２５６の一端側（固定部２５１とは反対側）に上下に延びる棒状の挿入部２５４が連結されている。このように構成される連結部材２５０は、図１４等に示すように、穴部２５２に対して開閉部材２０の突起（挿入部２３）を嵌入させることで開閉部材２０に固定されており、図１２等に示すように、２つのガイド溝２８４ｅ、２８４ｆに嵌った構成で左右方向に延びるように姿勢が維持されている。具体的には、後側上方ベース部２８４においてガイド溝２８４ｅがアーム部２５６の上側に配置されており、このガイド溝２８４ｅの溝内に挿入部２５４が嵌っている。また、後側上方ベース部２８４には、アーム部２５６の下側に配置されるガイド溝２８４ｆが形成されており、このガイド溝２８４ｆの溝内にアーム部２５６の中央部付近から下方に突出するガイド突起２５６ａが嵌っている。このように挿入部２５４がガイド溝２８４ｅと嵌合ないし遊嵌し、ガイド突起２５６ａがガイド溝２８４ｆと嵌合ないし遊嵌した状態でこれら挿入部２５４及びガイド突起２５６ａがガイド溝２８４ｅ、２８４ｆによって前後に案内されるようになっている。そして、このような案内により、連結部材２５０は左右方向に延びた姿勢が維持されつつ前後動するようになっている。そして、連結部材２５０は、開閉部材２０と一体的に前後動するように構成されているため、図１４（Ａ）（Ｂ）に示すように、その移動の際には、当該連結部材２５０が横方向に延びる姿勢が維持された状態で変位するようになっている（図１２、図１３も参照）。このように開閉部材２０とは別体に形成される連結部材２５０（挿入部形成部材）を用いると、筐体などが多少変更しても連結部材２５０のみの形状変更で調整することができ、開閉部材２０を汎用性ある部品として構成することができる。
【００４９】
第２実施形態で用いられるスライド部材２３０も、ソレノイド４０の駆動力を受けて左右にスライドするように機能している。なお、ソレノイド４０の構成は第１実施形態と同様であり、図１４、図１５の例ではコイルばね４３を省略して示している。
【００５０】
本構成でもスライド部材２３０は、図１４、図１５等に示すように、全体として板状でかつＬ字形状をなしており、連結部材２５０の下方側においてこの連結部材２５０と対向する板状の対向部２３４と、この対向部２３４の左右方向一端側から下方側に折れ曲がる板状の固定壁２３３とを備えている。固定壁２３３は、上下方向に沿って延びると共にその厚さ方向を左右方向とするように配置されており、この固定壁２３３の下端側の切欠部（図６の切欠部３３ａと同様の切欠部）にプランジャ４２のフランジ部（図６のフランジ部４２ａと同様のフランジ部）が嵌合構造で固定されるようになっている。対向部２３４は、板厚方向を上下方向とする構成で板状形態をなしており、ソレノイド４０の上方側においてプランジャ４２の長手方向（左右方向）に沿ってプランジャ４２の先端側からコイル部４１側に延びている。すなわち、スライド部材２３０は、ソレノイド４０の駆動力を開閉部材２０に伝達する伝達部材として機能しており、一端側（固定壁２３３）がプランジャ４２に固定されると共にプランジャ４２の移動方向（左右方向）と同方向に一体的にスライド動作する構成をなしている。
【００５１】
本構成でも、スライド部材２３０には、対向部２３４の上面部に上方側にリブ状に立ち上がるように形成された２つの立壁２３２ａ、２３２ｂからなる誘導溝２３２が形成されている。この誘導溝２３２は、対向する２つの立壁２３２ａ、２３２ｂの内側が連結部材２５０に形成された挿入部２５４と遊嵌し且つ挿入部２５４を誘導する溝として機能しており、２つの立壁２３２ａ、２３２ｂがいずれもスライド部材２３０のスライド方向（即ち左右方向）に対して傾斜して配されることで誘導溝２３２の溝方向もスライド部材２３０のスライド方向に対して傾斜した方向となっている。
【００５２】
このように構成される開閉部材２０、スライド部材２３０、ソレノイド４０では、図１２〜図１６で示すように、ソレノイド４０の駆動力を受けてスライド部材２３０が左右方向にスライド動作するときに、挿入部２５４が誘導溝２３２内を相対的に移動するように案内され、その案内時における誘導溝２３２の溝壁に対する挿入部２５４の押圧作用に応じて、開閉部材２０が前後方向にスライド動作するようになっている。
【００５３】
具体的には、図１２から図１３への変化（図１４（Ａ）から図１４（Ｂ）への変化、図１５（Ａ）から図１５（Ｂ）への変化、図１６（Ａ）から図１６（Ｂ）への変化も参照）のように、ソレノイド４０のコイル部４１が非励磁状態から励磁状態に変化するのに伴ってプランジャ４２がコイル部４１内に引き込まれたときには、スライド部材２３０はこのプランジャ４２の駆動力を受けてプランジャ４２の移動方向（左方向）と同方向にスライド動作する。このとき、このスライド部材２３０のスライド動作に伴って誘導溝２３２がそのスライド方向（左方向）に変位し、誘導溝２３２のスライド変位に伴い当該誘導溝２３２の立壁２３２ａ（溝壁）により挿入部２５４が後方に相対移動するように押圧作用を受け、これにより連結部材２５０及び開閉部材２０が一体的に後方側にスライド動作する。このようにして閉鎖状態から開放状態に変化することとなる。
【００５４】
逆に、図１３から図１２への変化（図１４（Ｂ）から図１４（Ａ）への変化、図１５（Ｂ）から図１５（Ａ）への変化、図１６（Ｂ）から図１６（Ａ）への変化も参照）のように、ソレノイド４０のコイル部４１が励磁状態から非励磁状態に変化するのに伴ってプランジャ４２がコイル部４１内から所定量突出したときには、スライド部材２３０はこのプランジャ４２の駆動力を受けてプランジャ４２の移動方向（右方向）と同方向にスライド動作する。このとき、このスライド部材２３０のスライド動作に伴って誘導溝２３２がそのスライド方向（右方向）に変位し、誘導溝２３２のスライド変位に伴い当該誘導溝２３２の立壁２３２ｂ（溝壁）により挿入部２５４が前方に相対移動するように押圧作用を受け、これにより連結部材１５０及び開閉部材２０が前方側にスライド動作する。このようにして、開放状態から閉鎖状態に変化することとなる。
【００５５】
[第３実施形態]
次に、本発明の第３実施形態について図１７〜図２８を参照して説明する。
なお、第３実施形態に係る入賞装置３１０は、検出センサ６０やソレノイド４０等の一部部品の構成が第１実施形態と同様となっている。よって検出センサ６０やソレノイド４０については第１実施形態と同一の符号を付し、詳細な説明は省略することとする。
【００５６】
図１７に示すように、本実施形態の遊技機用可変入賞装置３１０でも、第１実施形態と同様、遊技盤２の前方側に誘導口３１２が配され、この誘導口３１２が開閉部材３２０のスライド動作によって開閉するようになっている。この入賞装置３１０では、図２２等に示すように、後述するスライド部材３３０のスライド方向に対して傾斜した溝方向の誘導溝３３２が形成されており、開閉部材３２０に連結される連結部材３２４には、この誘導溝３３２内に挿入される挿入部３２４ａが形成されている。そして、ソレノイド４０の駆動力を受けてスライド部材３３０がスライド動作したときに、挿入部３２４ａが誘導溝３３２内を相対的に移動するように案内され、その案内時における挿入部３２４ａに対する誘導溝３３２の溝壁からの押圧作用に応じて、開閉部材３２０が自身の上面部に沿った方向にスライド動作するようになっている。
【００５７】
ここで、入賞装置３１０の外郭をなす筐体３８０について説明する。
図１７〜図１９に示すように、筐体３８０は、前板部３８１と、前側ベース部３８２と、台板部３８３と、後側ベース部３８４とによって構成されており、図１７に示すように遊技領域から遊技球を入り込ませる誘導口３１２を構成すると共に、その誘導口３１２に入り込んだ遊技球を導く遊技球誘導路３１４を構成するように機能している。
【００５８】
前板部３８１は、図１８、図１９に示すように、横方向に長い板状に構成されると共に遊技盤２の前面２ａと略平行に配される前板３８１ａを備えており、この前板３８１ａから後方側に複数のボス３８１ｂが突出した形態をなしている。
【００５９】
前側ベース部３８２は、図１８、図１９に示すように横方向に延びる長手状に構成されると共に横方向中央部が下方側に凹んだ形態をなしている。この前側ベース部３８２は、前壁部３８２ａにおいて後方側に貫通する複数の貫通孔３８２ｂが形成されており、これら貫通孔３８２ｂに前板部３８１のボス３８１ｂが挿し通される形態で前板部３８１が組み付けられるようになっている。この前側ベース部３８２の凹みの部分には、左右一対で配される側壁３８２ｃ、３８２ｄと、これら側壁３８２ｃ、３８２ｄのそれぞれの下端部側に連結される底壁部３８２ｅとが設けられている。更に、側壁３８２ｃ、３８２ｄの後端部及び底壁３８２ｅの後端部に連結される形態で後壁部３８２ｎが設けられている。後壁部３８２は、遊技盤２の前面２ａのやや前位置において前面２ａと略平行に配置され、前板部３８１と前後に対向して左右方向に延びる流路（遊技球誘導路３１４）を構成している。更に、側壁３８２ｃの上端部側に連結される形態で上流側底壁３５１ａが設けられ、側壁３８２ｄの上端部側に連結される形態で下流側底壁３５２ａが設けられている。また、前側ベース部３８２は、前壁部３８２ａから後方側に複数のボスが延びており、この複数のボスに後述する後側ベース部３８４がネジ止め等によって固定されている。そのうちの１つのボスが後述する貫通孔３２４ｂに挿し通される軸部３２６として機能している。
【００６０】
台板部３８３は、図１８、図１９に示すように、遊技盤２の前面２ａ（盤面：図２５等）に支持される構成でこの前面２ａに沿って配される板状の台板３８３ａと、この台板３８３ａから後方側に延びる板状のカバー部３８３ｂとを備えている。上述の前側ベース部３８２及び前板部３８１は、ボス３８１ｂが貫通孔３８２ｂに挿し通された状態で台板３８３ａの前面側に当接し、この状態でねじ等の締結部材によって台板３８３ａに固定されるようになっている。
【００６１】
後側ベース部３８４は、台板部３８３と共に後述するソレノイド４０、スライド部材３３０、連結部材３２４等を収容して保持するように機能する部分であり、ねじ等の締結部材によって台板３８３ａの後面側に固定されるようになっている。このように構成される前板部３８１、前側ベース部３８２、台板部３８３、後側ベース部３８４が一体的に結合して筐体３８０を構成しており、各種部品を保持すると共に内部に遊技球の流路を構成するようになっている。本実施形態では、後壁部３８２ｎが存在しているため、後側ベース部３８４の前側の壁がなくなるように形成されており（即ち、後側ベース部３８４が遊技盤前側に構成される遊技球誘導路３１４の壁部を構成しないようになっており）、後側ベース部３８４全体として前側が開放する箱形状をなしている。第１，２実施形態では、台板部３８３の後方側に連結される部分が上下に分割され、その連結される部分（後側ベース部（上下））でソレノイドやスライド部材を収容していたが、この第３実施形態では、前側ベース部３８２と後側ベース部３８４とによって、ソレノイド４０やスライド部材３３０などを収容している点で、大きく異なっている。
【００６２】
このように構成される筐体３８０は、図１７のように、上流側底壁３５１ａ及び台板３８３ａの一部（上流側底壁３５１ａに隣接する部分）によって上流側流路３５１が構成されており、この上流側流路３５１は、入賞装置３１０の外部（遊技領域）を流れる遊技球が上流側底壁３５１ａ上で受け止められたときにこの遊技球を横方向に誘導するようになっている。また、下流側底壁３５２ａ及び台板３８３ａの一部（下流側底壁３５２ａに隣接する部分）によって下流側流路３５２が構成されており、この下流側流路３５２は、入賞装置３１０の外部（遊技領域）を流れる遊技球が下流側底壁３５２ａ上で受け止められたときにこの遊技球を横方向に誘導するようになっている。そして、図１７（Ｂ）のように、上流側底壁３５１ａの左側端部（下流側底壁３５２ａと対向する端部）と下流側底壁３５２ａの右側端部（上流側底壁３５１ａと対向する端部）とによって構成される開口が誘導口３１２となっている。
【００６３】
この誘導口３１２は、入賞口として構成される部分であり、上流側底壁３５１ａを左側に流れてきた遊技球や下流側底壁３５２ａを右側に流れてきた遊技球、或いは上方側から当該誘導口３１２に向かって落下してきた遊技球などを装置内に入り込ませて入賞させるように機能している。なお、上流側底壁３５１ａは、全体的に誘導口３１２側よりもその反対側のほうが低くなっており、上流側底壁３５１ａ上の遊技球は誘導口３１２とは反対側に流れやすくなっている。また、下流側底壁３５２ａも、全体的に誘導口３１２側よりもその反対側のほうが低くなっており、下流側底壁３５２ａ上の遊技球も誘導口３１２とは反対側に流れやすくなっている。
【００６４】
また、図１７、図２５、図２６等に示すように、誘導口３１２の下方側には、遊技球を誘導する遊技球誘導路３１４が構成されている。遊技球誘導路３１４は、前板部３８１の前板３８１ａによって前方側の内壁部が構成され、前側ベース部３８２の後壁部３８２ｎによって後方側の内壁部が構成されており、これらが前後に対向することで左右に延びる流路を形成している。また、図１７（Ｂ）等に示す側壁３８２ｃ、３８２ｄが左右の内壁部を構成し、底壁部３８２ｅが底壁を構成しており、全体として横長の箱状形態をなしている。この遊技球誘導路３１４は、底壁部３８２ｅの一方側（側壁３８２ｃ側）が高く他方側（側壁３８２ｄ側）となるにつれて低くなるように底部が傾斜した構成となっており、誘導口３１２から入り込んだ遊技球が底壁部３８２ｅ上を転がり、側壁３８２ｄ側（即ち左側）に導かれるようになっている。
【００６５】
また、図１７（Ｂ）に示すように、左右方向一方側の側壁３８２ｄには、左右方向他方側に突出する形態で突起３０１ｃが形成されている。この突起３０１ｃは、前方側から後方側となるにつれて次第に突出量が小さくなるテーパ状に形成されており、上流側からの遊技球を受けたときにこの遊技球を後方側に跳ね返らせるように機能している。
【００６６】
図１７（Ｂ）に示すように、前側ベース部３８２の通路の底壁には検出センサ６０が設けられている。この検出センサ６０は、前側ベース部３８２の通路の底壁（底壁部３８２ｅ）に形成されており、通路左寄りの位置（即ち、側壁３８２ｄ寄りの位置）に貫通孔６１が配されている。そして、底壁部３８２ｅ上を転がって側壁３８２ｄ側に導かれた遊技球が貫通孔６１内を通って落下するように構成されている。
【００６７】
次に、開閉部材３２０、スライド部材３３０、ソレノイド４０について説明する。
開閉部材３２０は、遊技盤２の前面２ａ（盤面）の前方側に形成された誘導口３１２を開閉するように機能するものであり、自身の一部を前面２ａ（盤面）の位置よりも前方側に配置して誘導口３１２を閉鎖する閉鎖位置（図１７（Ａ）、図２５（Ａ）、図２６（Ａ）等）と、この閉鎖位置のときよりも後方側に退避して誘導口３１２を開放する開放位置（図１７（Ｂ）、図２５（Ｂ）、図２６（Ｂ）等）とに変位し得るように、前後にスライド動作するように構成されている。
【００６８】
この開閉部材３２０は、図１８、図１９に示すように、前後方向に沿うようにスライド可能に設けられた第１開閉部材３２１と、前後方向に沿うようにスライド可能に設けられ且つ少なくとも一部が第１開閉部材３２１よりも前方位置に移動し得るように構成された第２開閉部材３２２とによって構成されており、第１開閉部材３２１に対して第２開閉部材３２２が所定の移動範囲で前後方向に沿って相対移動し得るように第１開閉部材３２１と第２開閉部材３２２とが互いに連結されている（図２２、図２３等の連結構造を参照）。第１開閉部材３２１及び第２開閉部材３２２はいずれも略板状且つ長手状に構成されると共に厚さ方向を上下方向とし、長手方向を左右方向とする構成で配置されており、第２開閉部材３２２の厚さ方向一方側（上側）に重なるように第１開閉部材３２１が配置されている。また、この構成では、第２開閉部材３２２が駆動源（ソレノイド４０）からの駆動力を先に受けて動作する原動側とされており、第１開閉部材３２１が、第２開閉部材３２２からの作用を受けて動作する従動側とされている。なお、第３実施形態では、第１開閉部材３２１及び第２開閉部材３２２の前後方向の幅が台板３８３ａから前板３８１ａまでの距離よりも小さくなっており、第１、第２実施形態の開閉部材２０よりも前後方向の幅が小さくなっている。
【００６９】
具体的には、図２１、図２３のように、第１開閉部材３２１の下面部における左右両側に、後端部から前方側に延びる前後方向の嵌合溝３２１ｂ、３２１ｃが形成されている。また、図２０、図２１、図２３のように、第２開閉部材３２２の上面部の後端側における左右両側には、嵌合溝３２１ｂ、３２１ｃと嵌合するように構成される嵌合凸部３２２ｂ、３２２ｃが形成されており、嵌合溝３２１ｂ、３２１ｃに対して嵌合凸部３２２ｂ、３２２ｃがそれぞれ前後方向に摺動し得るように嵌合している。また、第１開閉部材３２１の下面部における中央部付近（嵌合溝３２１ｂ、３２１ｃからやや離れたこれらの間の位置）において前後方向中間位置（第１開閉部材３２１の前端及び後端からやや離れた位置）には、上方に向かって凹む凹部３２１ｆが形成されている。一方、第２開閉部材３２２の上面部後端付近において左右方向中間位置（嵌合凸部３２２ｂ、３２２ｃからやや離れたこれらの間の位置）には、上方にリブ状に突出する凸部３２２ｆが形成されており、この凸部３２２ｆが凹部３２１ｆ内に入り込んで前後方向に摺動し得るように嵌合している。また、本構成では、少なくとも嵌合凸部３２２ｂ、３２２ｃ及び凸部３２２ｆの位置において第１開閉部材３２１と第２開閉部材３２２とが常時上下に重なるように構成されており、図２２（ｂ）のように、第１開閉部材３２１のほぼ全体と第２開閉部材３２２のほぼ全体とが上下に重なる位置関係となりうるように嵌合溝３２１ｂ、３２１ｃ及び凹部３２１ｆの形状が調整されている。このような構成により、第１開閉部材３２１及び第２開閉部材３２２の前後方向の幅を小サイズにしている。
【００７０】
更に、第２開閉部材３２２には、図２０、図２１に示すように、この第２開閉部材３２２と一体的に連動する連結部材３２４が取り付けられている。第２開閉部材３２２は、左右方向一方側において側方に突出する軸状の突出部３２２ａが形成されており、この突出部３２２ａが後述する連結部材３２４の孔部３２４ｃに嵌入された状態で固定されるようになっている（図２２参照）。
【００７１】
連結部材３２４は、「連動する部材」「挿入部形成部材」」の一例に相当し、図２０、図２１に示すように棒状ないし軸状に構成されており、上述したように第２開閉部材３２２に連結される形態で配され、第２開閉部材３２２と共に一体的に前後動するように構成されている。この連結部材３２４は、上端寄りの位置に左右方向に貫通する上述の孔部３２４ｃが形成されており、下端側において下方側に延びるように挿入部３２４ａが形成されており、この挿入部３２４ａが後述する誘導溝３３２に挿入される部分として機能している。また、孔部３２４ｃと挿入部３２４ａの間の位置には、前後方向の貫通孔３２４ｂが形成されており、この貫通孔３２４ｂには、前側ベース部３８２に形成された上述の軸部３２６（図１９、図２８参照）が挿し通されるようになっている。そして、連結部材３２４は、図２８（Ａ）〜（Ｃ）のように、スライド部材３３０のスライド動作に伴い、軸部３２６に案内されるように前後に移動し得るようになっている。
【００７２】
本構成では、第２開閉部材３２２の左右方向一端側が前側ベース部３８２に形成されたリブ３８２ｆによって支持され、他端側が連結部材３２４を介して軸部３２６に支持されると共に、当該他端側に形成された前後方向に延びるリブ３２２ｅ（図１８、図２１）が前側ベース部３８２に形成された支持部３８２ｇ（図１８）に当接して支持されるようになっている。、第２開閉部材３２２はこのように両側が前側ベース部３８２に直接又は間接的に支持される構成で前後にスライド動作し得るようになっている。より具体的には、図２１に示すように、前側ベース部２８２の左右方向一端側において他端側に窪むように窪み３２２ｄが形成されており、この窪み３２２ｄが前側ベース部３８２において前後に延びるように形成されたリブ３８２ｆに嵌り込み、このリブ３８２ｆによって前後に案内されるようになっている。また、第２開閉部材３２２は、全体が台板３８３ａよりも前側に位置して誘導口３１２を閉鎖することとなるが、リブ３８２ｆが窪み３２２ｄに嵌り込んだ状態で案内され、第２開閉部材３２２の上下方向の移動が規制されるため、第２開閉部材３２２の一端側（窪み３２２ｄ側）が上方に浮き上がって外れてしまうことを効果的に防止することができる。また、第２開閉部材３２２の左右方向他端側は連結部材３２４を介して軸部３２６に支持され、この軸部３２６によって連結部材３２４と共に前後に案内されるようになっている。
【００７３】
また、第１開閉部材３２１は、上述のように第２開閉部材３２２に組み付けられてこの第２開閉部材３２２上で前後動し得るように構成されている。更に、第１開閉部材３２１の後端部付近における左右両端には、それぞれ側方に突出する形態で突起３２１ａ、３２１ｄが形成されている。この第１開閉部材３２１は、台板３８３ａ（図１８）に形成された開口部３８３ｄを介して前後に進退し得るようになっており、図１７（Ａ）、図２５（Ａ）、図２６（Ａ）のように第１開閉部材３２１が所定位置まで前方に突出したときに両端側の突起３２１ａ、３２１ｄが前側ベース部３８２に当接し（図２７（Ａ）参照）、それ以上の前方移動が規制されるようになっている。
【００７４】
次に、スライド部材３３０について説明する。本実施形態で用いられるスライド部材３３０も、ソレノイド４０の駆動力を受けて左右にスライドするように機能している。なお、ソレノイド４０の構成は第１実施形態と同様であり、図２２、図２３の例ではコイルばね４３を省略して示している。
【００７５】
このスライド部材３３０は、図２０〜図２３に示すように、全体として板状でかつＬ字形状をなしており、連結部材３２４の下方側においてこの連結部材３２４と対向する板状の対向部３３４と、この対向部３３４の左右方向一端側から下方側に折れ曲がる板状の固定壁３３３とを備えている。固定壁３３３は、上下方向に沿って延びると共にその厚さ方向を左右方向とするように配置されており、この固定壁３３３の下端側の切欠部３３３ａ（図２１）にプランジャ４２のフランジ部４２ａが嵌合構造で固定されるようになっている。対向部３３４は、板厚方向を上下方向とする構成で板状形態をなしており、ソレノイド４０の上方側においてプランジャ４２の長手方向（左右方向）に沿ってプランジャ４２の先端側からコイル部４１側に延びている。すなわち、スライド部材３３０は、ソレノイド４０の駆動力を開閉部材３２０に伝達する伝達部材として機能するものであり、一端側（固定壁３３３）がプランジャ４２に固定されると共にプランジャ４２の移動方向（左右方向）と同方向に一体的にスライド動作する構成をなしている。
【００７６】
更に、図２０、図２２のように、スライド部材３３０には、対向部３３４の上面部に上方側にリブ状に立ち上がるように形成された２つの立壁３３２ａ、３３２ｂからなる誘導溝３３２が形成されている。この誘導溝３３２は、対向する２つの立壁３３２ａ、３３２ｂの内側が上述の挿入部３２４ａと遊嵌し且つ挿入部３２４ａを誘導する溝として機能しており、２つの立壁３３２ａ、３３２ｂがいずれもスライド部材３３０のスライド方向（即ち左右方向）に対して傾斜して配されることで誘導溝３３２の溝方向もスライド部材３３０のスライド方向に対して傾斜した方向となっている。
【００７７】
また、第３実施形態では、第２開閉部材３２２と連動する部材（連結部材３２４）が遊技盤２の前面２ａの前方において、誘導口３１２の下方に形成された遊技球誘導路３１４の側方に設けられている。より具体的には、台板３８３ａに形成された開口部３８３ｄを介してソレノイド４０及びスライド部材３３０が遊技盤２の前面２ａの前後に跨るように配置され、誘導溝３３２も前面２ａの前後に跨るように配置されており、スライド部材３３０のスライド動作に伴って連結部材３２４が遊技球誘導路３１４の側方において前面２ａの前後に変位し得るようになっている。
【００７８】
このように構成される開閉部材３２０、スライド部材３３０、ソレノイド４０では、図２２、図２３、図２５〜図２８の動作説明で示すように、ソレノイド４０の駆動力を受けてスライド部材３３０が左右方向にスライド動作するときに、挿入部３２４ａが誘導溝３３２内を相対的に移動するように案内され、その案内時における挿入部３２４ａに対する誘導溝３３２の溝壁の押圧作用に応じて、開閉部材３２０が自身の上面部の外面方向に沿うように前後にスライド動作するようになっている。
【００７９】
具体的には、図１７（Ａ）から図１７（Ｂ）への変化（図２２（Ａ）から図２２（Ｂ）への変化、図２３（Ａ）から図２３（Ｂ）への変化、図２５（Ａ）（Ｂ）（Ｃ）の変化等も参照）のように、ソレノイド４０のコイル部４１が非励磁状態から励磁状態に変化するのに伴ってプランジャ４２がコイル部４１内に引き込まれたときには、スライド部材３３０はこのプランジャ４２の駆動力を受けてプランジャ４２の移動方向（左方向）と同方向にスライド動作する。このとき、このスライド部材３３０のスライド動作に伴って誘導溝３３２がそのスライド方向（左方向）に変位し、誘導溝３３２のスライド変位に伴い当該誘導溝３３２の立壁３３２ａ（溝壁）により挿入部３２４ａが後方に相対移動するように押圧作用を受け、これにより挿入部３２４ａと一体的に第２開閉部材３２２が後方側にスライド動作する。
【００８０】
本構成では、上述したように第１開閉部材３２１の下面側に形成された凹部３２１ｆの内部に第２開閉部材３２２に形成された凸部３２２ｆが入り込んだ状態でこれら開閉部材が連結されており、図２５（Ａ）、図２６（Ａ）のように開閉部材３２０が閉鎖位置にある状態から第２開閉部材３２２がある程度後退して図２６（Ｂ）のような位置になると、第２開閉部材３２２の凸部３２２ｆが第１開閉部材３２１の凹部３２１ｆの後端部に当接することになる。そして、さらに第２開閉部材３２２が後退すると、この凸部３２２ｆの押圧作用によって第１開閉部材３２１も後退し、これら開閉部材が一体的に後退して図２６（Ｃ）のような位置となる。このように、誘導口３１２を開放する際には、スライド部材３３０による左右方向片方側（他方の方向）へのスライド動作に伴って第２開閉部材３２２が後方に移動し、且つ第２開閉部材３２２が少なくとも第２の所定位置（凸部３２２ｆが凹部３２１ｆの後端に当接する位置）よりも後方に移動したときに、当該第２開閉部材３２２によって第１開閉部材３２１が後方に引き戻されるようになっている。そして、図２６（Ｃ）のように誘導口３１２を完全に開放したときには、この誘導口３１２の後方側において第１開閉部材３２１と第２開閉部材３２２とが上下に重なるように配置されるようになっている（図１７（Ｂ）、図２２（Ｂ）、図２５（Ｃ）等も参照）。このようにして閉鎖状態から開放状態に変化することとなる。
【００８１】
逆に、図２２（Ｂ）から図２２（Ａ）への変化（図２３（Ｂ）から図２３（Ａ）への変化等も参照）のように、ソレノイド４０のコイル部４１が励磁状態から非励磁状態に変化するのに伴ってプランジャ４２がコイル部４１内から所定量突出したときには、スライド部材３３０はこのプランジャ４２の駆動力を受けてプランジャ４２の移動方向（右方向）と同方向にスライド動作する。このとき、このスライド部材３３０のスライド動作に伴って誘導溝３３２がそのスライド方向（右方向）に変位し、誘導溝３３２のスライド変位に伴い当該誘導溝３３２の立壁３３２ｂ（溝壁）により挿入部３２４ａが前方に相対移動するように押圧作用を受け、これにより挿入部３２４ａと一体的に第２開閉部材３２２が前方側にスライド動作する。
【００８２】
図２９（Ａ）（図２６（Ｃ）も同様）、図３０（Ａ）（図２７（Ｃ）も同様）のように開閉部材３２０が開放位置にある状態から、図２９（Ｂ）、図３０（Ｂ）のように第２開閉部材３２２がある程度前進すると、第２開閉部材３２２の嵌合凸部３２２ｂ、３２２ｃが嵌合溝３２１ｂ、３２１ｃのそれぞれの前端部に当接し、凸部３２２ｆが第１開閉部材３２１の凹部３２１ｆの前端部に当接することになる。そして、さらに第２開閉部材３２２が前進すると、これら嵌合凸部３２２ｂ、３２２ｃ及び凸部３２２ｆの押圧作用によって第１開閉部材３２１も前進し、これら開閉部材が一体的に前進して図２９（Ｃ）、図３０（Ｃ）のような位置となる。このように、誘導口３１２を閉鎖する際には、スライド部材３３０による左右方向反対側（一方の方向）へのスライド動作に伴って第２開閉部材３２２が前方に移動し、且つ第２開閉部材３２２が少なくとも第１の所定位置（凸部３２２ｆが凹部３２１ｆの前端部に当接する位置）よりも前方に移動したときに、当該第２開閉部材３２２と連動して第１開閉部材３２１が前方に引き出されるようになっている。本構成では、上記のように閉鎖する際には、左右において嵌合凸部３２２ｂ、３２２ｃが嵌合溝３２１ｂ、３２１ｃのそれぞれの前端部に当接し、中央部において凸部３２２ｆが凹部３２１ｆの前端部に当接するため、第２開閉部材３２２によって左右均等に第１開閉部材３２１を引き出すことができる。
【００８３】
以上のような構成によれば、第１開閉部材３２１及び第２開閉部材３２２の前後方向の幅を小さくできるため、例えば遊技盤２が厚さ１０ｍｍ程度のアクリル盤によって構成されていても開放時に開閉部材３２０を遊技盤後面２ｂよりも後方側に突出しないように収めることができ、常時、入賞装置全体を厚さ１０ｍｍの遊技盤２の前位置（後面２ｂよりも前位置）に配置することができる。
【００８４】
なお、本構成では、開閉部材３２０を第１開閉部材３２１及び第２開閉部材３２２によって構成したが、図１７〜図３０の構成を一部変形し、例えば、開閉部材を第２開閉部材のみの構成としてもよい。
【００８５】
[第４実施形態]
次に、本発明の第４実施形態について説明する。
第４実施形態に係る入賞装置は、スライド部材の構成（特に立壁の構成）のみが第１実施形態と異なり、それ以外は第１実施形態と同様である。よって、スライド部材以外については詳細な説明を省略する。また、第１実施形態と同様の構成のものについては第１実施形態と同一の符号を付すこととし、スライド部材以外については、適宜図１〜図１１における同様の部品を参照することとする。
【００８６】
第４実施形態で用いられるスライド部材４３０も、ソレノイド４０の駆動力を受けて左右にスライドするように機能している。なお、ソレノイド４０の構成は第１実施形態と同様であり、図３１、図３３の例ではコイルばね４３を省略して示している。
【００８７】
本構成でもこのスライド部材４３０は、図３１〜図３３に示すように、全体として板状でかつＬ字形状をなしており、板状部２１の下方側においてこの板状部２１と対向する板状の対向部４３４と、この対向部４３４の左右方向一端側から下方側に折れ曲がる板状の固定壁４３３とを備えている。固定壁４３３は、上下方向に沿って延びると共にその厚さ方向を左右方向とするように配置されており、この固定壁４３３の下端側の切欠部（図６の切欠部３３ａと同様の切欠部）にプランジャ４２のフランジ部（図６のフランジ部４２ａと同様のフランジ部）が嵌合構造で固定されるようになっている。対向部４３４は、板厚方向を上下方向とする構成で板状形態をなしており、ソレノイド４０の上方側においてプランジャ４２の長手方向（左右方向）に沿ってプランジャ４２の先端側からコイル部４１側に延びている。すなわち、スライド部材４３０は、ソレノイド４０の駆動力を開閉部材２０に伝達する伝達部材として機能しており、一端側（固定壁４３３）がプランジャ４２に固定されると共にプランジャ４２の移動方向（左右方向）と同方向に一体的にスライド動作する構成をなしている。
【００８８】
そして、スライド部材４３０には、対向部４３４の上面部に上方側にリブ状に立ち上がるように形成された２つの立壁４３２ａ、４３２ｂからなる誘導溝４３２が形成されている。この誘導溝４３２は、対向する２つの立壁４３２ａ、４３２ｂの内側が挿入部２３と遊嵌し且つ挿入部２３を誘導する溝として機能しており、２つの立壁４３２ａ、４３２ｂがいずれもスライド部材４３０のスライド方向（即ち左右方向）に対して傾斜して配されることで誘導溝４３２の溝方向もスライド部材４３０のスライド方向に対して傾斜した方向となっている。
【００８９】
更に、本構成では、対向部４３４の上面部において誘導溝４３２と連続するようにロック溝（段差状に構成されるロック部）４５２が形成されている。このロック溝４５２は、左右方向に対して傾斜して延びる誘導溝４３２の前端側において、一方の立壁４３２ｂの内壁面から左右方向一方側（遊技機正面側から見て右側、図３１等のように背面側から見た場合には図面右側）に凹むように段差状に構成されており、図３１（Ａ）、図３２（Ａ）、図３３（Ａ）のように、ソレノイド４０が非駆動状態とされてスライド部材４３０が第１位置にあるときには、挿入部２３がロック溝４５２内に嵌り込むようになっている。そして、このように挿入部２３がロック溝４５２内に入り込んだときには、ロック溝４５２の内壁の一部が挿入部２３の後方に位置するようになっており、不正行為などにより開閉部材２０を閉鎖位置から開放位置へ動作させようとする外力が働いたとき、挿入部２３が後方側に変位しようとするとこの部分（ロック溝４５２の内壁における挿入部２３の後方に位置する一部４５２ａ）に当接し、スライド部材４３０が左右方向にスライドせず、ひいては、開閉部材２０が開放位置に移動せずに不正行為を防止することができる。
【００９０】
このように構成される開閉部材２０、スライド部材４３０、ソレノイド４０では、図３１〜図３３の動作説明で示すように、ソレノイド４０の駆動力を受けてスライド部材４３０が左右方向にスライド動作するときに、挿入部２３が誘導溝２３２内を相対的に移動するように案内され、その案内時における誘導溝４３２の溝壁に対する挿入部２３の押圧作用に応じて、開閉部材２０が自身の上面部の外面方向に沿うように前後にスライド動作するようになっている。
【００９１】
具体的には、図２（Ａ）から図２（Ｂ）への変化（図３１（Ａ）から図３１（Ｂ）への変化、図３２（Ａ）から図３２（Ｂ）への変化、図３３（Ａ）から図３３（Ｂ）への変化も参照）のように、ソレノイド４０のコイル部４１が非励磁状態から励磁状態に変化するのに伴ってプランジャ４２がコイル部４１内に引き込まれるときには、スライド部材４３０はこのプランジャ４２の駆動力を受けてプランジャ４２の移動方向（左右方向）と同方向にスライド動作する。このように、スライド部材４３０が左右方向一方側（図３１等では左方向）へ変位することに伴い、左右方向一方側へ奥まって形成されたロック溝４５２が挿入部２３に対して当該左右方向一方側（即ち左側）に離れるように変位し、これにより、挿入部２３はロック溝４５２に対して相対的に右方向に移動してロック溝４５２から離脱することになる（図３２の矢印Ｆ１も参照）。その後、挿入部２３は立壁４３２ａ（溝壁）の内壁に当接して当該立壁４３２ａに沿って案内され、立壁４３２ａからの押圧作用を受けて誘導溝４３２内を前方側に移動するように変位する。このような挿入部２３の変位に応じて開閉部材２０全体が後方側にスライド動作する。このようにして閉鎖状態から開放状態に変化することとなる。
【００９２】
逆に、図３１（Ｂ）から図３１（Ａ）への変化（図３２（Ｂ）から図３２（Ａ）への変化、図３３（Ｂ）から図３３（Ａ）への変化も参照）のように、ソレノイド４０のコイル部４１が励磁状態から非励磁状態に変化するのに伴ってプランジャ４２がコイル部４１内から所定量突出したときには、スライド部材４３０はこのプランジャ４２の駆動力を受けてプランジャ４２の移動方向（右方向）と同方向にスライド動作する。このとき、このスライド部材４３０のスライド動作に伴って誘導溝４３２がそのスライド方向（右方向）に変位し、誘導溝４３２のスライド変位に伴い当該誘導溝４３２の立壁４３２ｂ（溝壁）により挿入部２３が前方に相対移動するように押圧作用を受け、これにより開閉部材２０が前方側にスライド動作する。このようにして、開放状態から閉鎖状態に変化することとなる。なお、この変位の途中では、挿入部２３は、立壁４３２ｂに押されながら当該立壁４３２ｂからの押圧作用によって後方側に移動することになり、挿入部２３が立壁４３２ｂの後端側に配置されたロック溝４５２に至ったときには、図３１（Ａ）等のようにロック溝４５２内に入り込んでこの位置で保持されることになる。
【００９３】
一方、図３１〜図３３に示す構成では、図３１（Ａ）、図３２（Ａ）、図３３（Ａ）のように挿入部２３がロック溝４５２内に嵌り込んだ状態となっているとき（即ち、開閉部材２０が閉鎖位置にあるとき）に、開閉部材２０を開放位置に変位させようとする外力が加えられた場合には、開閉部材２０と連動する挿入部２３が、誘導溝４３２による案内側とは異なる側（ロック溝の段差部分に当接する方向）に向かい、挿入部２３が誘導溝４３２によって案内されることなくロック溝４５２内で相対移動が規制されるようになっている。
【００９４】
本構成では、図３１〜図３３の構成では、スライド部材３０は左右方向の移動のみが許容され、前後方向及び上下方向への変位が規制されており、挿入部２３の移動方向も前後方向のみとなっている。そして、このような構成を前提として、閉鎖位置のときには挿入部２３をロック溝４５２内に入り込ませるようにしている。このロック溝４５２は、左右方向への移動のみが許容されると共に、左右方向一方側に凹む形態をなしており、閉鎖位置のときに一部４５２ａが挿入部２３の後方に位置するようになっているため、挿入部２３がロック溝４５２に入り込んだ状態で開閉部材２０を後方側にスライドさせようとしても、挿入部２３の移動方向（図３２（Ａ）の矢印Ｆ２参照）にあるロック溝４５２の一部４５２ａが挿入部２３の移動を阻害することになり、開閉部材２０の開放がより確実に阻止されることになる。特に、部品点数を増加させることなく、立壁の形状のみによりロック機構を搭載することができ、簡易な構成でより確実な不正防止機能を実現できる。
【００９５】
［他の実施形態]
本発明は上記記述及び図面によって説明した実施形態に限定されるものではなく、例えば次のような実施形態も本発明の技術的範囲に含まれる。
【００９６】
第４実施形態では、第１実施形態を変更してロック溝を設けた構成としたが、第２実施形態の構成或いは第３実施形態の構成を変更して第４実施形態と同様にロック溝を設けるようにしてもよい。
【符号の説明】
【００９７】
１…遊技機
２…遊技盤
２ａ…前面（盤面）
１０，３１０…遊技機用可変入賞装置
１２…誘導口
１４，３１４…遊技球誘導路
２０，３２０…開閉部材
２１…板状部
２１ａ…上面部
２３，２５４，３２４ａ…挿入部
３０，２３０，３３０，４３０…スライド部材
３２，２３２，３３２，４３２…誘導溝
３３，２３３，３３３，４３３…固定壁（先端固定部）
３４，２３４，３３４，４３４…対向部（延出部）
３８…ガイド部
４０…ソレノイド（駆動源）
４１…コイル部
４２…プランジャ
８０…筐体
２５０，３２４…連結部材（挿入部形成部材）
３２１…第１開閉部材
３２２…第２開閉部材
４５２…ロック溝
【図１】
0005868672.tif 000002
【図２】
0005868672.tif 000003
【図３】
0005868672.tif 000004
【図４】
0005868672.tif 000005
【図５】
0005868672.tif 000006
【図６】
0005868672.tif 000007
【図７】
0005868672.tif 000008
【図８】
0005868672.tif 000009
【図９】
0005868672.tif 000010
【図１０】
0005868672.tif 000011
【図１１】
0005868672.tif 000012
【図１２】
0005868672.tif 000013
【図１３】
0005868672.tif 000014
【図１４】
0005868672.tif 000015
【図１５】
0005868672.tif 000016
【図１６】
0005868672.tif 000017
【図１７】
0005868672.tif 000018
【図１８】
0005868672.tif 000019
【図１９】
0005868672.tif 000020
【図２０】
0005868672.tif 000021
【図２１】
0005868672.tif 000022
【図２２】
0005868672.tif 000023
【図２３】
0005868672.tif 000024
【図２４】
0005868672.tif 000025
【図２５】
0005868672.tif 000026
【図２６】
0005868672.tif 000027
【図２７】
0005868672.tif 000028
【図２８】
0005868672.tif 000029
【図２９】
0005868672.tif 000030
【図３０】
0005868672.tif 000031
【図３１】
0005868672.tif 000032
【図３２】
0005868672.tif 000033
【図３３】
0005868672.tif 000034